(57)【要約】【課題】  取り扱いが容易でかつ安価で安定な膣の圧力および筋電流の表示装置を提供する。【解決手段】  あらかじめ流体を挿入容器に充填することにより空気ポンプおよびホースを省略する。また無線通信手段を用いることにより接続ケーブルを省略する。【選択図】図４
2010259745.tif 000002
【特許請求の範囲】
【請求項１】
装置は膣に挿入するのに適した形状を持ち柔軟性のある中空の挿入容器にあらかじめ流体を充填した挿入部と、挿入部の圧力を電気信号に変換する圧力センサと電子回路で構成される圧力検出部と、前記電気信号により圧力を表示する圧力表示部を持ち、膣の筋肉強化運動のため前記挿入部を膣に挿入して膣の圧力を表示することを特徴とする膣の圧力表示装置。
【請求項２】
前記流体は液体であることを特徴とする請求項１に記載の圧力表示装置。
【請求項３】
装置は前記挿入部が絶縁体でありその挿入部に電極を持ち、その電極により膣の筋電流を検出する筋電流検出部と、その筋電流を表示する筋電流表示部を持つことを特徴とする請求項１又は請求項２に記載の圧力表示装置。
【請求項４】
装置は無線通信手段を持ち、前記圧力検出部と前記圧力表示部をその無線通信手段で接続することを特徴とする請求項１又は請求項２に記載の圧力表示装置。
【請求項５】
装置は無線通信手段を持ち、前記筋電流検出部と前記筋電流表示部をその無線通信手段で接続することを特徴とする請求項３又は請求項４に記載の圧力表示装置。
【発明の詳細な説明】
【技術分野】
【０００１】  本発明は女性の尿失禁治療における膣筋肉の強化訓練に際して、患者に対して目標とする膣の圧力を提示し、患者はその目標値となるように筋肉を緊張させ、実際の圧力を目標値と比較表示して訓練を行う際に使用する膣の圧力表示装置に関する。
【発明の詳細な説明】
【発明が解決しようとする課題】
【０００２】  従来のこの種の装置は筋肉の緊張度を表示するのに筋電流の大きさを表示していた。しかし患者によっては筋電流が膣の圧力に対応しない症状の場合もある。
【０００３】  さらに筋電流を検出するため高価になる。
【０００４】  さらに検出部と表示部を接続するケーブルがあるため煩わしい。
【０００５】  また空気圧を用いて膣の圧力を表示する装置もあるが、すべて空気ポンプやホースが付属して煩わしく高価である。
【０００６】  さらに空気ポンプやホースは空気の漏れが大きく、使用中に圧力を調節する必要があり煩わしくまた定常圧力が変動するため不安定である。
【０００７】  さらに空気は柔軟で使用に際し違和感がある。
【課題を解決するための手段】
【０００８】  請求項１の発明は膣に挿入する中空の挿入容器に流体を充填し、その流体の圧力を検出することにより膣の圧力を表示するものであるが、使用中に流体をポンプで注入するのではなく製造時又は使用前にあらかじめ流体を充填しポンプおよびホースを省略して取り扱いやすくかつ安価にしたものである。
【０００９】  請求項２の発明は挿入部に充填する流体を液体として挿入部に適度な硬度を持たせ使用時の違和感を減少するものである。
【００１０】  請求項３の発明は流体の圧力と同時に筋電流を検出表示して訓練の効果をより高めるものである。
【００１１】  請求項４および請求項５の発明は挿入部および検出部と表示部の間を無線通信手段で接続して接続ケーブルを省略する事により患者の利便性を高めるものである。
【実施例】
【００１２】  図１に本発明の基本的な実施例を示す。挿入部１は膣に挿入するのに適した形状を持ち、柔軟な中空の挿入容器と内部に充填された流体で構成され適度な硬度を保持する。【００１３】  この挿入部１を患者の膣に挿入して患者が圧力を加えるとその圧力は内部に充填された流体に伝達され、さらに検出部２０に収容された圧力センサーにより電気信号に変換され、同じく検出部２０に収容された圧力信号処理回路により適当な電気信号に変換されてケーブル４０を駆動する。【００１４】  表示部３０は圧力表示器５０を収納し、ケーブル４０に接続される。【００１５】  この構成により挿入部１に加えられた膣の圧力は圧力表示器５０により表示され、患者自身がその圧力を知ることが出来る。【００１６】  図２に圧力と同時に筋電流を検出する場合の構成を示す。【００１７】  挿入部１には一対の筋電流検出電極１００が装着される。【００１８】  この筋電流検出電極１００の素材は薄く柔軟性のある網状の導体が望ましい。【００１９】  筋電流検出電極１００に発生した筋電流信号は検出部２０に収容された筋電流信号処理回路により適当な電気信号に変換されてケーブル４０を駆動する。【００２０】  表示部３０は圧力表示器５０と同時に筋電流表示器１１０を収納しケーブル４０に接続される。【００２１】  この構成により圧力と同時に筋電流が表示され、患者は膣の筋肉の緊張を有効に圧力に変換するような筋肉の緊張方法を習得出来る。【００２２】  以下膣の圧力と筋電流を同時に検出する場合を示すが、圧力のみの場合はより簡単に実現できることは自明である。【００２３】  図３に挿入部１および検出部２０の詳細を示す。同図において（Ａ）は挿入方向から見た正面図であり、（Ｂ）は（Ａ）のＡ−Ａにて切断した側面断面図である。さらに（Ｃ）は（Ｂ）の直角方向からみた側面図である。【００２４】  挿入容器１０の内部は流体２００が充填される。【００２５】  この流体２００は気体又は液体が使用可能であるが、膣に挿入した際適度な硬度を保つことおよび気密性がよい事で液体が望ましい。【００２６】  また挿入容器１０は柔軟で伸びない素材であることが望ましい。【００２７】  流体２００が充填された挿入部１は挿入部固定台２３０に固定される。【００２８】  挿入部固定台２３０には圧力センサー２１０が装着され、挿入部固定台２３０に設けられた圧力伝達穴２２０を介して流体２００と接触し、流体２００の圧力を電気信号に変換する。【００２９】  圧力センサー２１０の電気信号は検出部２０に収容された回路基板２４０に接続され、回路基板２４０上に実装された圧力信号処理回路とともに圧力検出部を構成し、接続ケーブル４０の信号を駆動する。【００３０】  さらに挿入部２００には一対の筋電流検出電極１００が装着され、その一部は回路基板２４０に接続され、回路基板２４０上に実装された筋電流信号回路とともに筋電流検出部を構成し、接続ケーブル４０の信号を駆動する。【００３１】  また挿入容器１０には流体２００を注入するための流体注入口２６０が設けられさらに流体２００が漏洩するのを防止するため弾力性のある素材で構成される漏洩防止部２７０が付加される。【００３２】  流体２００はこの注入口２６０より使用前又は製造時に挿入容器１０に充填される。【００３３】  なお製造時に充填される場合はこの注入口２６０および漏洩防止部２７０は必須ではない。【００３４】  図４に無線通信手段を用いて検出部と表示部を接続する場合を示す。基本的な構成および効果は図２と同様であるが接続ケーブル４０が無く、検出部２０には送信アンテナ３００が装着され、また表示部３０には受信アンテナ３１０が装着される。【００３５】  図５に無線通信手段を用いて検出部と表示部を接続する場合の挿入部１および検出部２０の詳細を示す。同図において（Ａ）は挿入方向から見た正面図であり（Ｂ）は側面図である。なお（Ａ）は（Ｂ）のＢ−Ｂで切断した断面であり、（Ｂ）は（Ａ）のＡ−Ａで切断した断面である。【００３６】  挿入部固定台２３０は電池４００の収納容器を兼ねており筒状の形状でありその両端に挿入容器１０が固定される。【００３７】  挿入部固定台２３０の先端には流体２００を通すための開口部４１０および圧力伝達穴２２０が設けられ、流体２００は挿入部固定台２３０の先端に装着された圧力センサー２１０に接触し、挿入部１全体に加わった圧力が電気信号に変換される。【００３８】  他の挿入部および圧力検出部および筋電流検出部の構成は図３と同様であるが接続ケーブル４０が存在せず、回路基板２４０には送信回路５２０が実装され、送信アンテナ３００が接続される。【００３９】  図６に無線通信手段を用いて検出部と表示部を接続する場合の回路構成を示す。無線通信手段を用いずケーブルで接続する場合はより簡単に実現できることは自明である。【００４０】  同図において（Ａ）は検出部２０の回路構成であり（Ｂ）は表示部３０の回路構成である。【００４１】  圧力センサー２１０の出力信号は圧力信号処理回路５００により圧力送信信号５３０変換されて送信回路５２０に入力される。【００４２】  圧力センサー２１０と圧力信号処理回路５００により圧力検出部５７０が構成される。【００４３】  また筋電流検出電極１００に発生した筋電流信号は筋電流信号処理回路５１０により筋電流送信信号５４０変換されて送信回路５２０に入力される。【００４４】  筋電流検出電極１００と筋電流信号処理回路５１０により筋電流検出部５８０が構成される。【００４５】  送信回路５２０は高周波信号を入力された圧力送信信号５３０および筋電流送信信号５４０で変調して送信アンテナ３００より送信する。【００４６】  表示部３０に装着された受信アンテナ３１０により受信した高周波信号は受信回路５９０により復調されて圧力表示信号５５０および筋電流表示信号５６０に変換され、各々圧力表示器５０と筋電流表示器１１０を駆動する。
【発明の効果】
【００４７】  女性の尿失禁治療における膣筋肉の強化訓練に使用する安価かつ安定で取り扱い易い膣の圧力表示手段を提供する。
【００４８】  また膣の筋電流を同時に表示することにより訓練の効果をより高める。
【００４９】  さらに無線通信手段を使用することにより表示部３０が挿入部１および検出部２０より機械的に切り離され患者に利便性を与える。
【図面の簡単な説明】
【図１】  膣の圧力検出を行う基本的な構成
【図２】  筋電流検出を併用する場合の構成
【図３】  筋電流検出を併用する場合の挿入部および検出部の詳細
【図４】  無線通信手段を用いる場合の構成
【図５】  無線通信手段を用いる場合の挿入部および検出部の詳細
【図６】  無線通信手段を用いる場合の電子回路の構成
【符号の説明】１  挿入部    １０  挿入容器          ２０  検出部    ３０表示部
４０  接続ケーブル    ５０  圧力表示器
１００  筋電流検出電極        １１０  筋電流表示器
２００  充填された流体        ２１０  圧力センサー    ２２０  圧力伝達穴
２３０  挿入部固定台          ２４０  回路基板        ２６０  流体注入口
２７０  漏洩防止部
３００  送信アンテナ          ３１０  受信アンテナ
４００  電池          ４１０  開口部
５００  圧力信号処理回路      ５１０  筋電流信号処理回路      ５２０  送信回路
５３０  圧力送信信号          ５４０  筋電流送信信号
５５０  圧力表示信号          ５６０  筋電流表示信号
５７０  圧力検出部    ５８０  筋電流検出部    ５９０  受信回路
【図１】
2010259745.tif 000003
【図２】
2010259745.tif 000004
【図３】
2010259745.tif 000005
【図４】
2010259745.tif 000006
【図５】
2010259745.tif 000007
【図６】
2010259745.tif 000008